(57)【特許請求の範囲】
【請求項１】
少なくとも１つの第１の本体と第２の本体とを備えるタービンエンジンの少なくとも２つの可変ジオメトリ装置部品（１０、１１０）、つまりアイドリング時の閉鎖位置と高速時の開放位置との間で可動である第１の本体の圧縮機の可変角度ステータ翼段である第１の装置部品（１０）と、アイドリング時の開放位置と高速時の閉鎖位置との間で可動である第２の本体の圧縮機の少なくとも１つの排気弁である第２の装置部品（１１０）とを制御するシステムであって、さらにシステムは、第１の装置部品（１０）を駆動する第１の枝部（３４）と第２の装置部品（１１０）を駆動する第２の枝部との少なくとも２つの枝部を備え、タービンエンジンのケーシング（１２）上で可動に取り付けられた戻し部材（２６）を駆動するアクチュエータ（２４）を含み、第２の枝部（３８）が、そのトラベルの一部の間、第２の装置部品（１１０）の作動部（６５）を回転駆動し、残りのトラベルの間、作動部を駆動せず、前記作動部（６５）がエンドストップ（６４）上で静止状態を保つことを特徴とする、制御システム。
【請求項２】
第１の本体が高圧本体であり、第２の本体が低圧本体である、請求項１に記載の制御システム。
【請求項３】
アクチュエータ（２４）が、タービンエンジンの本体の１つの回転速度によって制御される、請求項１または２に記載の制御システム。
【請求項４】
アクチュエータ（２４）が、高圧本体の回転速度によって制御される、請求項３に記載の制御システム。
【請求項５】
作動部（６５）が、ケーシング（１２）に連結された回転軸（５１）を中心として可動であるレバーであり、レバーの第１のアームが、前記第２の枝部（３８）および前記エンドストップ（６４）と協働するようになされ、第２のアームが、第２の装置部品（１１０）の作動時にデッドトラベルを形成する摺動接合部材（１２０）を介して前記第２の装置部品（１１０）を駆動する、請求項４に記載の制御システム。
【請求項６】
摺動接合部材（１２０）が、第２の制御部材（１２６）によって支持されるロッド（１２２）が摺動する長円穴（１２４）を有する第１の制御部材（１１５）を備える、請求項５に記載の制御システム。
【請求項７】
レバー（６５）の回転軸（５１）が、前記レバー（６５）の第１のアームに沿って変位される、請求項５または６に記載の制御システム。
【請求項８】
第１の制御部材（１１５）が、弾性手段（１１２）によって、第２の枝部（３８）と作動部（６５）とが協働しない位置に向かって戻される、請求項６または７に記載の制御システム。
【請求項９】
第２の装置部品（１１０）の作動帯域が、第１の装置部品の動作帯域内に含まれる、請求項４から７のいずれか一項に記載の制御システム。
【請求項１０】
請求項１から９のいずれか一項に記載の制御システムを備える、タービンエンジン。
【発明の詳細な説明】
【技術分野】
【０００１】
本発明は、タービンエンジンの可変ジオメトリ装置部品の制御の一般分野に関する。本発明は、より詳細には、タービンエンジンの別個の本体の一部を形成する複数の装置部品の制御の最適化に関する。
【背景技術】
【０００２】
「可変ジオメトリ装置」いう表現は、本明細書では、制御部材に連結される装置部品を指し、その寸法、形状、位置および／または速度は、タービンエンジンの動作に作用するように、検知された事象または規定のパラメータに応じて変更される可能性があることを理解すべきである。可変ジオメトリ装置部品の例として、圧縮機の排気弁（可変開放部を有する）、可変角度を有する圧縮機固定翼、先端に可変間隙を有するタービン翼、可変流量燃料ポンプなどが挙げられる。
【０００３】
用語「本体」は、従来、タービンエンジンのサブアセンブリを指し、主部材として、同軸に組み立てられる圧縮機とタービンとを備える。典型的には、タービンエンジンは、高圧本体と低圧本体とを備える場合がある。各本体は、圧縮機とタービンとを備え、圧縮機およびタービンの翼は、取り付けられるシャフトの軸を中心として回転駆動される。
【０００４】
一般に、タービンエンジンの種々の本体は、互いに独立して動作するように設計される。これらの回転速度は、一定の動作速度において関連付けられていても、または相関性があっても、独立している。
【０００５】
したがって、通常は、タービンエンジンの種々の本体が独立しているので、異なる本体の一部を形成する可変ジオメトリ装置部品を制御するためには、これらの別個の装置部品に対して別個の制御システムが設けられる。このため、２つの別個の本体の２つの可変ジオメトリ装置部品を制御するには、通常、２つの制御回路と、２つのアクチュエータと、２つの動力源などが必要である。当然、装置部品のためのこのような制御システムの重量、コスト、容積は比較的増大する。このような構造は、本出願人の欧州特許出願公開第１７２４４７４号明細書に記載されている。
【先行技術文献】
【特許文献】
【０００６】
【特許文献１】欧州特許出願公開第１７２４４７４号明細書
【特許文献２】仏国特許第２４４５４３９号明細書
【発明の概要】
【発明が解決しようとする課題】
【０００７】
例えば、低圧段は１つまたは複数の排気弁（「可変抽気弁」、ＶＢＶと略記されることが多い）を備え、高圧段は１つまたは複数の可変角度ステータ翼段（「可変ステータ翼」、ＶＳＶと略記されることが多い）を備えることができる。このような装置部品およびこれらの制御部材の重量を低減するためには、ＶＢＶを全く設置しないことを想定することができる。このようにして得られる重量節減は大きい（このために、ＶＢＶに関連するアクチュエータ、サーボ弁、配管、ハーネスなどが省略される）が、特に、アイドリング速度で、水またはひょうがエンジン内に入り込んだ場合、引き起こされるリスクは大きく、このことがエンジンの消炎という大きなリスクにつながる可能性がある。
【０００８】
仏国特許第２４４５４３９号明細書（出願人Ｇｅｎｅｒａｌ  Ｅｌｅｃｔｒｉｃ  Ｃｏｍｐａｎｙ）は、低圧段の排気弁と高圧段の可変角度ステータ翼段とを制御する単一の手段を記載しているが、この手段は、基本的には連続して両方の装置部品を制御し、ステータ翼のみがタービンエンジンの通常動作（すなわち、アイドリング速度より高い速度）で作動される。
【０００９】
本発明は、タービンエンジンの異なる本体に属する可変ジオメトリ装置部品および最適化されたこれらの装置部品の制御システムを備えるタービンエンジンを提案することを目的とする。
【課題を解決するための手段】
【００１０】
本発明は、第１の速度で動作する少なくとも第１の本体と第２の速度で動作する第２の本体とを備えるタービンエンジンの少なくとも２つの可変ジオメトリ装置部品、つまり、アイドリング時の閉鎖位置と高速時の開放位置との間で可動である第１の本体の圧縮機の可変角度ステータ翼段である第１の装置部品と、アイドリング時の開放位置と高速時の閉鎖位置との間で可動である第２の本体の圧縮機の少なくとも１つの排気弁である第２の装置部品を制御するシステムであって、両方の装置部品を作動させるアクチュエータを含むことを特徴とするシステムに関する。
【００１１】
複数（少なくとも２つ）の可変ジオメトリ装置部品を制御するために単一のアクチュエータを使用することによって、制御システムは、タービンエンジンの部品数を低減し、ひいては、本発明の目的を達成することができる。第１および第２の本体の装置部品が同一のアクチュエータによって作動されるので、第２の制御システムの重量、容積、コストは、少なくとも大幅に削減される。
【００１２】
一実施形態によれば、制御システムは、単一のアクチュエータを使用して３つ以上の可変ジオメトリ装置部品を制御することができる。
【００１３】
一実施形態によれば、可変ジオメトリ装置部品は、タービンエンジンの複数の本体に共通である。
【００１４】
一実施形態によれば、第１の本体は制御可能な回転速度で駆動され、アクチュエータは第１の本体の回転速度によって制御される。
【００１５】
したがって、第２の本体の装置部品は、アクチュエータを介して第１の本体の回転速度によって制御される。
【００１６】
特定の実施形態によれば、第１の本体は高圧本体であり、第２の本体は低圧本体である。
【００１７】
特に、低圧圧縮機と高圧圧縮機とを備えるタービンエンジンでは、低圧圧縮機の可変ジオメトリ装置部品は、高圧圧縮機の回転速度によって制御される。
【００１８】
一実施形態によれば、高圧本体と低圧本体とを有するタービンエンジンの場合、高圧本体の可変ジオメトリ装置部品は、低圧本体の近く（例えば、高圧本体の上流側近く）に配置される。
【００１９】
この場合の特定の実施形態によれば、タービンエンジンは、高圧本体と低圧本体とを有する２本体式タービンエンジンである。好ましくは、この場合、可変角度ステータ翼段（複数可）が高圧本体の一部を形成し、第１の装置部品は、タービンエンジンの低圧本体の一部を形成する制御システムによって制御される。
【００２０】
この場合の特定の実施形態によれば、ステータ翼段は、各々がタービンエンジンのケーシングに枢動可能に取り付けられる複数の翼を備え、ケーシングを囲む制御リングは、レバーを介してステータ翼段の翼の各々に連結され、アクチュエータがケーシングに取り付けられた駆動部材を介してステータ翼段の制御リングを回転駆動することができる。
【００２１】
一実施形態によれば、可変ジオメトリ装置部品は、タービンエンジンの排気弁である。この装置部品は、１つの弁または複数の排気弁を備えることができる。例えば、低圧圧縮機のＶＢＶタイプの排気弁である。
【００２２】
本発明の制御システムは、種々のタイプの装置部品を制御するように構成可能である。上述した以外に、可変ジオメトリ装置部品は、特に、１つまたは複数の以下の機器の要素を備えるまたは形成する：
比例開放する高圧圧縮機の排気弁（「一時的抽気弁」（ＴＢＶ）または「抽気開始弁」（ＳＢＶ）と表されることが多い）、
高圧圧縮機のオンオフ排気弁（「抽気処理弁」（ＨＢＶ）と表されることが多い）、
低圧タービン内の間隙制御（「低圧タービンアクティブ間隙制御」（ＬＰＴＡＣＣ）と表されることが多い）または高圧タービン内の間隙制御（「高圧タービンアクティブ間隙制御」（ＨＰＴＡＣＣ）と表されることが多い）に寄与する流量調整弁。
【００２３】
一実施形態によれば、制御システムにおいて、アクチュエータは可動制御部材を備え、可動制御部材の変位が可変ジオメトリ装置部品に制御を伝達する。制御部材は、例えば、シリンダのアームを備える場合がある。
【００２４】
一実施形態によれば、アクチュエータは、第１の可変ジオメトリ装置部品の作動帯域内でパラメータを変化させることによって、第１の可変ジオメトリ装置部品を作動させるように配置され、第２の可変ジオメトリ装置部品の作動帯域内で同じパラメータを変化させることによって、第２の可変ジオメトリ装置部品を作動させるように配置される。
【００２５】
上述のアクチュエータのパラメータは、例えば、アクチュエータの作動部材の位置とすることができる。したがって、このパラメータは、シリンダのアーム端の位置とすることができる。したがって、この場合、このパラメータを変化させるということは、シリンダのアーム端またはアクチュエータの動作端の位置を変位させるということを意味する。
【００２６】
一実施形態によれば、アクチュエータは、少なくとも２つの枝部を備え、かつタービンエンジンのケーシング上を移動するように取り付けられる戻し部材を駆動する。第１の枝部は第１の装置部品を駆動し、第２の枝部は第２の装置部品を駆動する。
【００２７】
特定の実施形態によれば、第２の枝部は、そのトラベルの一部の間、第２の装置部品の作動部を回転駆動し、残りのトラベルの間、作動部を駆動せず、前記作動部がエンドストップ上で静止状態を保つ。
【００２８】
特定の実施形態によれば、作動部は、ケーシングに連結された回転軸を中心として可動なレバーであり、レバーの第１のアームは、前記第２の枝部および前記エンドストップと協働するようになされ、第２のアームは、第２の装置部品の作動時にデッドトラベルを形成する摺動接合部材を介して前記第２の装置部品を駆動する。
【００２９】
作動パラメータが装置部品の作動帯域外の範囲内で変化する場合、装置部品はアクチュエータによって作動されない。アクチュエータのパラメータの値のこのような範囲では、実際に、関係する装置部品に作用が加えられず、この範囲は前記装置部品にとって「デッドトラベル」となる。このような帯域では、パラメータの変動に関係なく、アクチュエータは関係する装置部品に作用しない（またはあまり作用しない）。
【００３０】
特定の実施形態によれば、摺動接合部材は、第２の制御部材によって支持されるロッドが摺動する長円穴を有する第１の制御部材を備える。
【００３１】
特定の実施形態によれば、レバーの回転軸は、前記レバーの第１のアームに沿って変位されることができる。
【００３２】
特定の実施形態によれば、第１の制御部材は、弾性手段によって、第２の枝部と作動部とが協働しない状態に対応する位置に向かって戻される。
【００３３】
特定の実施形態によれば、第１の装置部品の作動帯域の少なくとも一部は、第２の装置部品の作動帯域外にある。
【００３４】
単一のアクチュエータによる２つの可変ジオメトリ装置部品の制御は、２つの装置部品の作動帯域が完全に一致するわけではなく、そのことが共通領域外では１つの装置部品のみを作動させることができるということによって容易になり得る。
【００３５】
特定の実施形態によれば、第１および第２の装置部品のうちの一方の作動帯域は、他方の装置部品の作動帯域内に完全に含まれる。
【００３６】
この場合、装置部品は共通の領域内で同時に作動され、このことで装置部品の性質に応じて利点が得られる。このような実施形態により、より大きい作動振幅を提供することができる。
【００３７】
この場合の特定の実施形態によれば、装置部品のうちの一方の作動帯域は、他方の装置部品の作動帯域の全体振幅よりかなり小さい振幅を有し、例えば、他方の作動帯域の２０％未満または１０％未満の振幅を示す場合がある。このように、作動帯域が低減された装置部品の帯域が他方の装置部品の帯域内に含まれる場合、装置部品の制御動作は、他方の装置部品の制御をほんのわずか変化させるおよび／またはあまり変化させない。この構造により、単一の制御システムによる２つの装置部品の制御が容易になる。
【００３８】
制御システムは、好ましくは、十分な振幅で装置を作動させるのに十分な作動帯域の範囲内でアクチュエータのパラメータが変動するように設計される。
【００３９】
一実施形態によれば、アクチュエータと装置部品の１つとのリンクは、作動パラメータの帯域の値を越えるとアクチュエータによって装置部品の駆動を解除することができるクラッチ解除装置を含む。したがって、この値の帯域は、関係する装置部品の作動帯域外にある。したがって、クラッチ解除装置により、他の装置部品（複数可）の制御のためだけの作動帯域の範囲を確保することができる。このことは、関係する装置部品が影響を受けてはならない場合、さらに他の制御される装置部品の１つの制御が変化する場合に重要となる場合がある。
【００４０】
一実施形態によれば、制御システムはさらに、少なくともアクチュエータのパラメータが装置部品の作動帯域外にある範囲内で変化するときに、装置部品の１つの制御部材を所定位置で維持するための戻し手段を含む。
【００４１】
本発明はさらに、上述した制御システムを備えるタービンエンジンに関する。
【００４２】
本発明は、添付図面を参照して、以下のタービンエンジンおよび本発明のシステムの好適な実施形態の記述からより十分に理解される。
【図面の簡単な説明】
【００４３】
【図１】先行技術の可変角度ステータ翼の位置を制御するためのシステムの斜視図である。
【図２】本発明の一実施形態の可変角度ステータの翼の位置制御に基づいて圧縮機の排気弁の位置を制御する装置の図であり、エンジンの高速回転に対応する位置（ステータ翼が開放位置、排気弁が閉鎖位置）にある装置の図である。
【図３】エンジンの中間回転速度時の、ステータ翼は閉鎖過程、排気弁も閉鎖過程にある前記装置の図である。
【図４】エンジンの低速回転時の、ステータ翼が閉鎖位置、排気弁が開放位置にある前記装置の図である。
【図５】エンジンの速度に応じたステータ翼の位置および排気弁の位置を示す曲線であって、２つの装置部品の開放帯域と閉鎖帯域との重複がある場合を示す図である。
【図６】エンジンの速度に応じたステータ翼の位置および排気弁の位置を示す曲線であって、２つの装置部品の開放帯域と閉鎖帯域との重複がない場合を示す図である。
【発明を実施するための形態】
【００４４】
知られているように、タービンエンジンは、軸Ｘ−Ｘに関して、上流側から下流側に向かって、ファン、低圧圧縮機（当業者によって「ブースタ」と表されることが多い）、高圧圧縮機、燃焼チャンバ、高圧タービン、低圧タービン、ガスを噴出するノズル（図示せず）を備える。圧縮機と高圧タービンとは、高圧シャフトと呼ばれる同じシャフトに取り付けられて、したがってタービンエンジンの高圧本体に属し、圧縮機と低圧タービンとは、低圧シャフトと呼ばれる同じシャフトに取り付けられて、したがってタービンエンジンの高圧本体に属する。
【００４５】
以下では、低圧はＢＰ、高圧はＨＰの略語を使用して説明する。
【００４６】
ＨＰ圧縮機は、可動翼のホイールと固定翼（ステータ翼とも呼ばれる）のホイールとによって形成される少なくとも１つの段を備える。各段は、タービンエンジンのＸ−Ｘ軸を中心として半径方向に位置決めされた複数の翼によって形成される。適例においては、ＨＰ圧縮機は、可動翼のホイールと固定翼のホイールとを交互に有する複数の段を備える。翼は、タービンエンジンの軸Ｘ−Ｘを中心とした円筒状ケーシング１２内に囲まれている。
【００４７】
固定翼のホイールの中で、少なくとも１つの段１０は、可変角度翼と呼ばれる翼１４を備える。各翼１４は、ケーシング１２を貫通する軸１６（またはピボット）を中心として枢動可能に取り付けられる。各翼１４の角度位置は、ピボット１６を回転駆動することによって調節可能である。
【００４８】
可変角度翼の段１０は、ＨＰ本体に属する（ＨＰ圧縮機に属するため）第１の可変ジオメトリ装置部品を形成する。この装置部品の可変パラメータは、翼１４の角度であり、適例においては、翼１４の段１０を制御するリング２２によって全ての翼１４が同時に回転駆動される。
【００４９】
制御リング２２は、全体が円形のリングで、ケーシング１２を囲撓し、タービンエンジンの軸Ｘ−Ｘを中心とする。したがって、知られているように、タービンエンジンの軸Ｘ−Ｘを中心とした制御リング２２の回転によって、翼１４の角度位置の同期変更が得られる。
【００５０】
タービンエンジンは、第２の可変ジオメトリ装置部品１１０を備える。適例においては、装置部品は、（図示されている）ＶＢＶタイプの排気弁である。この装置部品１１０の可変パラメータは、排気弁１１０の開放角度である。この装置部品１１０は、タービンエンジンのＢＰ本体に属する。ＶＢＶ弁１１０の機能は、ＢＰ圧縮機の出口で排気して、この圧縮機が特定の条件で動作しているときの圧縮機の動作不良のリスクを低減することである。
【００５１】
当然、知られているように、第２の装置部品１１０は、複数の排気弁を含む場合がある。
【００５２】
制御システムは、可変角度翼の段１０（第１の装置部品１０）の制御リング２２の回転および第２の装置部品１１０の制御部材１１５の変位を制御するように設計される。
【００５３】
このためには、制御システムは、アクチュエータ２４、適例においては、シリンダ２４を備える。アクチュエータ２４は、第１の装置部品１０と第２の装置部品とに機械的に連結されて、これらの装置部品を動かす。したがって、単一のアクチュエータ２４が２つの別個の本体の２つの可変ジオメトリ装置部品１０、１１０を制御する。
【００５４】
このためには、可変角度翼１４の各ピボット１６は制御コネクティングロッド１８またはレバー１８の一端に連結され、そのロッドの他端は、制御リング２２に固定され、かつリング２２に対して半径方向に伸びるトラニオン１９を中心として連接される。
【００５５】
リングは、伸縮ねじ式で、ほぼリング２２の接線方向に伸びる制御ロッド３２の一端が固定される少なくとも１つの端部結合金具２７を備える。制御ロッド３２の他端は、タービンエンジンのケーシング１２のモジュール２８上で枢動可能に取り付けられた、いわゆる駆動（直接アクチュエータに連結されるため）戻し部材２６に固着される。駆動戻し部材２６は、より詳細には、Ｔ字形である。制御ロッド３２は、Ｔ字の第１の枝部３４の一端に固定され、シリンダ２４のロッドの端部は、関節式に、Ｔ字の第１の枝部３４の延長上に位置する作動枝部４２の端部に固定される。他の２つの枝部に垂直な第２の枝部３８は、後述するような別の機能を果たす。駆動戻し部材２６は、枝部の交点で伸びる軸５０を中心として枢動可能に取り付けられる。
【００５６】
アクチュエータ（シリンダ）２４は、駆動戻し部材２６を介して可変角度翼段１０の制御リング２２を回転駆動することができる。駆動戻し部材２６はシリンダ２４の運動を制御ロッド３２に伝達し、次に、制御ロッド３２は、ロッド３２が並進に（曲線状に）固着されたリング２２にその運動を伝達する。
【００５７】
駆動戻し部材２６およびロッド３２は、アクチュエータ（シリンダ２４）から制御リング２２への運動伝達機構の主要な要素である。
【００５８】
シリンダ２４は、電子制御ユニットによって制御される。シリンダ２４の運動は、ＨＰ圧縮機の回転速度Ｎ２によって決まる。
【００５９】
本発明は、１つの可変角度翼段が示されているが、当然、複数の段で実施されてもよい。段は、従来、駆動戻し部材と呼ばれる第１の戻し部材２６および同期バー３０を介して駆動される従動戻し部材と呼ばれる戻し部材２６’と連結される。
【００６０】
制御システムはさらに、特定の装置を使用して、第２の装置部品１１０のための制御部材１１５の変位を制御する。
【００６１】
図２から図４を参照すると、可変角度ステータ翼の制御システムを使用して排気弁を作動するための装置６０が示されている。軸５０を中心として回転可動である戻し部材２６は、その第１の枝部３４を介してロッド３２の変位およびその第２の枝部３８を介して同期バー３０の変位を引き起こし、さらに、その枝部３８を介して作動部６５を駆動する。この作動部６５は、Ｌ字形レバーの形状であり、ケーシング１２に連結される第１の軸５１を中心として回転可動である。作動部６５は、常に弾性戻し手段（図示せず）によって第２の枝部３８に向かって戻され、枝部３８と協働せずにエンドストップ６４上で載置される。作動部のアームの一方は、第２の枝部３８と協働して、第２の関節５２によって作動部６５の第２のアームに取り付けられたＵ字形スターラップ１２６に戻し部材２６の回転を伝達することができる。戻し部材２６の回転は、スターラップ１２６の長手方向変位で反映され、スターラップ１２６は摺動面で変位される一種のロッドのように変位される。
【００６２】
スターラップ１２６の２つの枝部は可変ジオメトリ１１０部品の第１の制御部材１１５の両側を通り、第１の制御部材１１５が矢印Ａで示された方向に可変ジオメトリ装置部品１１０の変位を制御する。この制御部材１１５は、楕円形の穴１２４を有する長方形板の形状である。第２の装置部品１１０の制御のための第２の部材を形成するスターラップ１２６の２つの枝部は、長円穴１２４を貫通するロッド１２２によって連結され、ロッド１２２が長円穴内を摺動する。
【００６３】
スターラップ１２６とロッド１２２とは、摺動接合部材１２０を構成する。アクチュエータ２４は、この摺動接合部材１２０を介して第２の装置部品１１０を駆動し、この摺動接合部材１２０の摺動がデッドトラベルＤを画定する。実際に、ロッド１２２が長穴１２４の一端でロックされずに長穴１２４内で変位される間は、制御部材１１５の運動が引き起こされないことになる、すなわち、アクチュエータ（シリンダ２４）の運動が装置部品１１０の制御部材１１５の運動を引き起こさないことになる。
【００６４】
作動部６５の戻し部材２６の一部に作用しない場合、ばね１１２が制御部材１１５を押し戻して、第２の装置部品１１０を排気弁の閉鎖位置に対応する位置に維持する。作動部６５の戻しばねにより、作動部は、ステータ翼の閉鎖方向に作動部の回転を制限するエンドストップ６４に接触するまで、第２の関節５２を中心として回転される。その後、作動部６５は、上述したような弾性戻し手段によってエンドストップ６４で支承されたままとなる。
【００６５】
最後に、作動部６５は、図２から図４に示されるように、Ｌ字形であり、その２つのアームは第１の回転軸５１で合流する。その第１のアーム、すなわち、戻し部材２６の枝部３８と協働するアームの長さは、回転軸に固定される点を変位させることによって短くすることができる。この変位により、戻し部材２６の回転とスターラップ１２６の変位との間で生じる運動のギア機構が変更される。このギア機構の変更の振幅は、回転軸５１が変位されるトラベルＢによって決定される。
【００６６】
図５および図６を参照すると、可変角度翼（ＶＳＶ）および排気弁（ＶＢＶ）の相対開放法則は、ＨＰ本体の回転速度Ｎ２の関数として示されている。曲線の値が大きいほど、対応する可変ジオメトリ装置部品１０、１１０がより開放された状態になる。翼ＶＳＶ１４の開放位置は、最も多量の気流をＨＰ圧縮機３に流入させることができる位置に対応し、弁ＶＢＶ１１０の開放位置は、ＢＰ圧縮機から最大空気流量を取り込む位置に対応する。
【００６７】
低速の第１の位相Ｐ１では、排気弁ＶＢＶ１１０は開放されているが、可変角度翼ＶＳＶ１４は閉鎖されている。中間速度の第２の位相Ｐ２では、弁ＶＢＶ１１０はＨＰ本体の速度Ｎ２が増加するにつれて次第に閉鎖されるが、翼ＶＳＶ１４はＨＰ本体の速度Ｎ２が増加するにつれて次第に開放され、第２の位相Ｐ２の最後に、弁ＶＢＶ１１０はほぼ完全に閉鎖されるが、翼ＶＳＶ１４は約２／３開放される。第３の位相Ｐ３では、弁ＶＢＶ１１０の閉鎖は終了されるが、翼ＶＳＶ１４の開放は、ＨＰ本体の速度Ｎ２が増加するにつれて次第に終了される。
【００６８】
したがって、２つの可変ジオメトリ装置部品１０、１１０は、ＨＰ本体の速度によって駆動される。特に、ＢＰ本体に属する弁ＶＢＶ１１０は、ＨＰ本体の回転速度Ｎ２によって制御される。このことにより、開放法則の定義が簡略化され、開放と閉鎖とは、１つの同じ単一パラメータ、すなわち、ＨＰ本体の回転速度Ｎ２に依存するので、可変ジオメトリ装置部品の開放と閉鎖とが完全に同期化される。
【００６９】
図５に示されるバージョン１では、可変角度翼ＶＳＶの開放は排気弁ＶＢＶの閉鎖と同時に始まるが、閉鎖後に開放が終了する。一方、図６に示されるバージョン２では、ＶＳＶの開放はＶＢＶの閉鎖後のみに始まる。バージョンの選択と、排気弁の閉鎖が始まる正確な瞬間とは、長穴１２４の位置および長さＤに作用することで定義される。この開放の延長または短縮は、排気弁の開放を、可変角度翼の閉鎖と比べて一方向または他方向にシフトさせる。
【００７０】
上述したように、トラベルＢの範囲内で作動部６５の第１のアームの第１の回転軸５１の位置決めを変更することにより、戻し部材２６の回転によって生成される運動のギア機構を変更することになる。Ｌ字のアームを短くすることで、戻し部材２６の所定の回転のために作動部６５の回転を増やす。このことは、排気弁のより速い開放に反映され、図６のＶＢＶ曲線の変曲点における垂直な接線に反映される。それとは逆に、作動部６５の第１のアームのレバーアームを伸長すると、図６の曲線の変曲点におけるあまり垂直でない接線を形成し、排気弁のより緩やかな開放となる。
【００７１】
制御システム１の作動方法を理解できるように、図２から図４は、シリンダ２４の最大伸長、中間伸長、最小伸長に対応する３つの位置におけるこのシステムの運動を示す。制御システム１では、シリンダ２４の伸長は、このアクチュエータの作動パラメータである。
【００７２】
次に、ＨＰ本体の回転速度Ｎ２の変更時、例えば、エンジンのフルスロットル位置からの減速時のステータ翼および排気弁の動作について説明する。この最初の状態（図２）では、シリンダは最大伸長位置にあり、可変角度翼１４は開放位置にあり、排気弁は閉鎖されている。戻し部材２６の枝部３８は、作動部６５の弾性戻し手段の作用を受けてエンドストップ６４上に載置された作動部６５の第１のアームから離間される。ばね１１２は、制御部材１１５を排気弁が閉鎖された状態に対応する位置に維持する。
【００７３】
この位置から、シリンダ２４の作動は駆動戻し部材２６の回転を引き起こし、必要に応じて、同期バー３０によって駆動される従動戻し部材２６’の回転を引き起こす。同様に、モジュール２８上のピボット点を中心とした戻し部材２６の回転がロッド３２を駆動し、次に、ロッド３２がタービンエンジンの軸Ｘ−Ｘを中心としてリング２２を一方向または他方向に回転させる。上述したように、リング２２の回転は、制御レバー１８を介して、段１０の翼１４の角度位置を同時に変更する。
【００７４】
シリンダ２４の収縮時の特定の位置に対応する図３に示されるように、回転速度が減速するにつれて、戻し部材２６は、第２の枝部３８が作動部６５の第１のアームに接触する瞬間まで旋回する。
【００７５】
シリンダ２４の収縮に伴ってさらに、戻し部材２６は、回転軸５１を中心として作動部６５を回転させるのを開始し、ひいてはスターラップ１２６のロッド１２２を矢印Ａの方向に向かって長円穴１２４内に押し込む。図３に示された位置は、スターラップ１２６に固着されたロッド１２２が矢印Ａの方向（制御部材１１５の作動方向）に向かって穴１２４の端部で停止する正確な瞬間に対応する位置であり、その位置からロッド１２２は可変ジオメトリ装置部品１１０の制御部材（プレート１１５）を駆動し始めるという点で、特定の位置である。逆に、シリンダ２４の収縮の開始から、この位置の範囲では、スターラップ１２６の変位に関わらず、制御部材１１５は初期位置（図２）から変位されない。したがって、初期位置（図２）と図３の特定の中間位置との間のシリンダ２４の作動帯域は、制御される第２の装置部品１１０のデッドトラベルＤをもたらす。この運動の間、ステータの弁は次第に閉鎖されるが、排気弁は完全に閉鎖された状態のままである。
【００７６】
一方、図３に見られる作動開始の位置から、シリンダ２４のさらなる収縮により、スターラップ１２６に固着されたロッド１２２が矢印Ａの方向に制御部材１１５を押し戻し、制御部材を変位させる。この位置よりもさらに収縮されたシリンダ２４の位置は、第２の装置部品１１０の作動帯域をもたらす。その結果、排気弁は開放される。この開放は、多かれ少なかれ、作動部６５のレバーアームの長さに対して維持される調節Ｂに応じて徐々に行われる。
【００７７】
さらに、シリンダ２４がこの作動開始位置を超えると、ばね１１２が戻し手段として作動して、制御部材１１５をロッド１２２と常に接触した状態に維持することに留意すべきである。したがって、デッドトラベル外では、制御部材１１５は、各々の時点で、矢印Ａの方向およびその反対方向のロッド１２２の変位に従う。逆に、摺動接合部材１２０のデッドトラベル内では、制御部材１１５は、作動部６５の弾性戻し手段の影響を受けて、図２および図３の「左側」位置で固定されたままである。
【００７８】
回転速度を減速しながら、シリンダは完全に収縮されるように制御される。このことは、排気弁が完全に開放され、ステータ翼が完全に閉鎖されるまで徐々に閉鎖される状態（図４に示された位置）に対応する。
【００７９】
アイドリング速度から回転速度Ｎ２を加速させるのに従って、シリンダ２４は伸長し、上述したのとは反対方向に戻し部材２６を回転させる。弾性戻し手段の作用を受けて、作動部６５はエンドストップ６４まで戻り、エンドストップと共にスターラップ１２６を駆動する。制御部材１１５は、ロッド１２２の圧力を受けなくなるので、ばね１１２の作用を受けて、スターラップ１２６と共に変位して、排気弁の閉鎖を開始する。制御部材１１５の運動は、ばね１１２が完全に伸びきるまで継続し、その後、依然として作動部の弾性戻し手段によって駆動されるロッド１２２は、長円穴１２４の他端に当接するまでこの穴に沿って進む。作動部６５とスターラップ１２６と制御部材１１５とを備えるアセンブリは、作動部６５の第１のアームがエンドストップ６４に接触するまでのトラベルを続ける。
【００８０】
この位置では、排気弁は完全に閉鎖されている。ステータ翼の開放は、その限りにおいて、戻し部材２６の回転と共に継続し、この瞬間から、戻し部材２６の運動は排気弁の運動を妨げなくなる。
【００８１】
本発明は複数の特定の実施形態に関して説明されているが、全くこれらに限定されないこと、さらに本発明の範囲内であれば記載した手段の全ての技術的等価物およびそれらの組み合わせを含むことは明らかである。
【図１】
0005349602.tif 000002
【図２】
0005349602.tif 000003
【図３】
0005349602.tif 000004
【図４】
0005349602.tif 000005
【図５】
0005349602.tif 000006
【図６】
0005349602.tif 000007